(57)【要約】【課題】キャリッジの位置を検出する検出器がインクミストによって汚染されることを抑制できる、インクジェット記録装置を提供する。【解決手段】インクジェット記録装置では、インクジェットヘッドは、キャリッジに搭載される。移動機は、キャリッジを主走査方向に往復移動させる。検出器は、リニアスケールと、検出ヘッドと、収容ケースを備える。リニアスケールは、キャリッジの移動範囲に主走査方向に沿って設けられる。検出ヘッドは、リニアスケールと副走査方向に対向し、リニアスケールからキャリッジの主走査方向の位置を検出する。収容ケースは、検出ヘッドを収容する収容室を備える。検出ヘッド及び収容ケースは、キャリッジと共に主走査方向に往復移動する。収容ケースは、接続口と、吹出口を備える。接続口には、エア供給装置からのエアが流れるエア流路が接続される。吹出口は、接続口から流入するエアをリニアスケールに向けて吹き出す。【選択図】図２
2020082695.tif 000002
【特許請求の範囲】
【請求項１】
記録媒体を搬送する搬送機と、
前記搬送機によって搬送される前記記録媒体にインクを吐出するインクジェットヘッドと、
前記インクジェットヘッドが搭載されるキャリッジと、
前記キャリッジを前記記録媒体が搬送される搬送方向に沿った副走査方向に直交する主走査方向に往復移動させる移動機と、
前記キャリッジの前記主走査方向の位置を検出する検出器と、を備え、
前記検出器は、
前記キャリッジの移動範囲に前記主走査方向に沿って設けられるリニアスケールと、
前記リニアスケールと前記副走査方向に対向し、前記リニアスケールから前記キャリッジの前記主走査方向の位置を検出する検出ヘッドと、
前記検出ヘッドを収容する収容室を備える収容ケースと、を備え、
前記検出ヘッド及び前記収容ケースは、前記キャリッジと共に前記主走査方向に往復移動し、
前記収容ケースは、
エア供給装置に接続され前記エア供給装置からのエアが流れるエア流路が接続される接続口と、
前記接続口から流入するエアを前記リニアスケールに向けて吹き出す吹出口と、を備える、インクジェット記録装置。
【請求項２】
前記収容ケースは、前記吹出口として、
前記検出ヘッドの前記主走査方向の第一側に設けられる第一吹出口と、
前記検出ヘッドの前記主走査方向の第二側に設けられる第二吹出口と、を備える、請求項１に記載のインクジェット記録装置。
【請求項３】
前記収容室は、前記リニアスケールと対向する前記副走査方向の第三側が開口した空間であり、
前記検出ヘッドは、前記検出ヘッドの前記主走査方向の第一側に第一隙間があり且つ前記検出ヘッドの前記主走査方向の第二側に第二隙間がある状態で、前記収容室の開口から露出し、
前記第一吹出口は、前記第一隙間に設けられ、
前記第二吹出口は、前記第二隙間に設けられる、請求項２に記載のインクジェット記録装置。
【請求項４】
前記収容ケースは、
前記収容室の前記主走査方向の第一側に第一凹部と、
前記収容室の前記主走査方向の第二側に第二凹部と、を備える、請求項１から請求項３の何れか１項に記載のインクジェット記録装置。
【請求項５】
前記収容ケースでは、
前記主走査方向の第一側の第一外面は、前記副走査方向の第三側から第四側に向かうに従い、前記主走査方向の第一側から第二側に向かう状態で設けられ、
前記主走査方向の第二側の第二外面は、前記副走査方向の第三側から第四側に向かうに従い、前記主走査方向の第二側から第一側に向かう状態で設けられる、請求項１から請求項４の何れか１項に記載のインクジェット記録装置。
【発明の詳細な説明】
【技術分野】
【０００１】
本発明は、インクジェット記録装置に関する。
【背景技術】
【０００２】
インクジェット記録装置に関する技術が提案されている。例えば、特許文献１には、記録装置が開示されている。記録装置は、キャリッジと、エンコーダスケールと、エンコーダセンサを備える。キャリッジには、記録ヘッドが装着される。記録ヘッドは、記録媒体に記録を行う。エンコーダスケールは、キャリッジの走査方向に沿って設けられる。エンコーダセンサは、エンコーダスケールに対向して設けられる。エンコーダセンサは、エンコーダスケールに形成された所定のパターンを検出する。記録装置は、エンコーダセンサによるパターンの検出結果に基づいて記録を行う。記録装置は、清掃手段を有する。清掃手段は、エンコーダスケール又はエンコーダセンサに対向及び当接する。清掃手段は、エンコーダスケール又はエンコーダセンサの表面に付着した付着物を清掃する。
【０００３】
特許文献２には、インクジェット式記録装置が開示されている。インクジェット式記録装置では、スケールがキャリッジの主走査方向に沿って配置され、光センサがキャリッジに配置される。光センサは、スケールとの相対移動量を検出する。インクジェット式記録装置では、清掃手段がキャリッジ側に配置される。清掃手段は、スケールと光センサの相対移動に伴って、スケールのインク汚れを清掃する。清掃手段は、多孔質素材により構成される。清掃手段では、多孔質素材は、帯状のスケールの両面からスケールを挟持するようにして摺接する。インクジェット式記録装置は、２個の清掃手段を備える。光センサは、２個の清掃手段の間に、スケールを挟むように配置される。光センサは、光投射素子及び受光素子からなる。
【０００４】
特許文献３には、プリンタが開示されている。プリンタは、インクジェットプリンタである。プリンタは、印刷ヘッドと、搬送ローラ部と、モータと、ロータリースケールを備える。プリンタは、更に、羽根部材を備える。羽根部材は、モータの回転に伴って回転する。羽根部材は、次の方向に対流を発生させる。前述の方向は、インクミストがロータリースケールに付着することを防止する方向である。インクミストは、印刷ヘッドからのインク滴の吐出によって発生する。
【０００５】
特許文献４には、液体吐出装置が開示されている。液体吐出装置は、インクジェットプリンタである。液体吐出装置は、リニアエンコーダを備える。リニアエンコーダは、リニアスケール及びフォトセンサを有する。リニアスケールは、主走査方向と平行に支持フレームに取り付けられる。フォトセンサは、発光部及び受光部を備え、キャリッジに固定される。リニアスケールの両面には、清掃部材がそれぞれ固定される。フォトセンサがリニアスケールの長手方向に移動すると、清掃部材は、発光部の発光面及び受光部の受光面に接し、これらを清掃する。フォトセンサは、直方体形状のハウジングを備える。フォトセンサには、凹部が形成される。凹部で対向する２つの面には、発光部及び受光部がそれぞれ設けられる。フォトセンサは、発光部の発光面及び受光部の受光面によってリニアスケールを挟み込むように、キャリッジに固定される。
【０００６】
特許文献５には、インクジェット装置が開示されている。インクジェット装置は、エンコーダスケールと、エンコーダセンサを有する。エンコーダスケールは、キャリッジの走査範囲に延びる。エンコーダセンサは、キャリッジに接続される。エンコーダセンサは、エンコーダスケールを読み取り、キャリッジの位置を検出する。インクジェット装置では、エンコーダスケール及びエンコーダセンサは、覆い部材によって覆われる。
【０００７】
特許文献６には、インクジェット記録装置が開示されている。インクジェット記録装置は、記録ヘッドと、キャリッジと、リニアエンコーダスケールと、エンコーダセンサを備える。記録ヘッドは、記録媒体に対して記録を行う。キャリッジには、記録ヘッドが搭載される。キャリッジは、走査方向に往復移動する。リニアエンコーダスケールは、キャリッジの移動方向に張られる。エンコーダセンサは、スケールを基準としてキャリッジの移動量を検出する。キャリッジには、キャリッジの走査方向の何れかの面にフィルタ付きの開口部が設けられる。キャリッジ内には、エンコーダセンサが配置される。フィルタ付きの開口部は、スケール通過口とキャリッジ内で連通する。スケール通過口は、リニアエンコーダスケールをエンコーダセンサ内を通過させるため、キャリッジに設けられる。フィルタ付きの開口部では、流抵抗がスケール通過口に対して十分に小さくされる。この他、特許文献６には、次の構成が開示されている。即ち、この構成では、フィルタ付きの開口部は、キャリッジの外面に設けられる。キャリッジは、ファンを有する。ファンは、キャリッジ内部の空気を循環させる。
【先行技術文献】
【特許文献】
【０００８】
【特許文献１】特開２０００−１４１８０２号公報
【特許文献２】特開２００２−３６１９０１号公報
【特許文献３】特開２００６−２５５９９５号公報
【特許文献４】特開２００７−１６０７１５号公報
【特許文献５】特開２０１２−２５０４９９号公報
【特許文献６】特開２００５−２１９４３７号公報
【発明の概要】
【発明が解決しようとする課題】
【０００９】
インクジェット記録装置として、シリアル型の装置が知られている。シリアル型のインクジェット記録装置では、画像の記録時、キャリッジが主走査方向に往復移動する。キャリッジには、インクジェットヘッドが搭載される。シリアル型のインクジェット記録装置には、検出器が設けられ、この検出器によってキャリッジの主走査方向の位置が検出される。検出器は、リニアスケールと、検出ヘッドを備える。インクジェットヘッドは、検出器での検出値に従い、主走査方向への移動途中の所定のタイミングでインクを吐出する。これに伴い、インクミストが発生する。インクミストは、検出器に付着し、これを汚染する。検出器がインクミストによって汚染された場合、正確な位置検出が困難になることがある。
【００１０】
発明者は、インクミストによる検出器の汚染を抑制可能なインクジェット記録装置について検討した。その際、発明者は、次のような状況について考慮した。前述の状況は、所定の製品の生産現場で、工場建屋内の閉じられた同一空間に複数のインクジェット記録装置を設置し、これらを稼働させるといった状況である。このような状況では、前述の空間には、多くのインクミストが浮遊する。発明者は、インクミストをフィルタで取り除くといった手法を検討した。但し、この場合、発明者は、例えば、フィルタの交換時期を管理する必要が生じると考えた。
【００１１】
本発明は、キャリッジの位置を検出する検出器がインクミストによって汚染されることを抑制できる、インクジェット記録装置を提供することを目的とする。
【課題を解決するための手段】
【００１２】
本発明の一側面は、記録媒体を搬送する搬送機と、前記搬送機によって搬送される前記記録媒体にインクを吐出するインクジェットヘッドと、前記インクジェットヘッドが搭載されるキャリッジと、前記キャリッジを前記記録媒体が搬送される搬送方向に沿った副走査方向に直交する主走査方向に往復移動させる移動機と、前記キャリッジの前記主走査方向の位置を検出する検出器と、を備え、前記検出器は、前記キャリッジの移動範囲に前記主走査方向に沿って設けられるリニアスケールと、前記リニアスケールと前記副走査方向に対向し、前記リニアスケールから前記キャリッジの前記主走査方向の位置を検出する検出ヘッドと、前記検出ヘッドを収容する収容室を備える収容ケースと、を備え、前記検出ヘッド及び前記収容ケースは、前記キャリッジと共に前記主走査方向に往復移動し、前記収容ケースは、エア供給装置に接続され前記エア供給装置からのエアが流れるエア流路が接続される接続口と、前記接続口から流入するエアを前記リニアスケールに向けて吹き出す吹出口と、を備える、インクジェット記録装置である。
【００１３】
このインクジェット記録装置によれば、エア供給装置からエアの供給を受けることができる。エア供給装置は、インクジェット記録装置から離れた位置に設置することができる。例えば、エア供給装置は、インクジェット記録装置が設置された空間とは異なる空間に設置することができる。エア供給装置から供給されたインクミストを含まないエアをリニアスケールに向けて吹き出すことができる。リニアスケール及び検出ヘッドへのインクミストの付着を抑制することができる。
【００１４】
前記収容ケースは、前記吹出口として、前記検出ヘッドの前記主走査方向の第一側に設けられる第一吹出口と、前記検出ヘッドの前記主走査方向の第二側に設けられる第二吹出口と、を備える、ようにしてもよい。この場合、前記収容室は、前記リニアスケールと対向する前記副走査方向の第三側が開口した空間であり、前記検出ヘッドは、前記検出ヘッドの前記主走査方向の第一側に第一隙間があり且つ前記検出ヘッドの前記主走査方向の第二側に第二隙間がある状態で、前記収容室の開口から露出し、前記第一吹出口は、前記第一隙間に設けられ、前記第二吹出口は、前記第二隙間に設けられる、ようにしてもよい。これらの構成によれば、リニアスケールに対してエアを吹き付ける範囲を広くすることができる。検出ヘッドへのインクミストの到達を主走査方向の第一側及び第二側で防止することができる。
【００１５】
前記収容ケースは、前記収容室の前記主走査方向の第一側に第一凹部と、前記収容室の前記主走査方向の第二側に第二凹部と、を備える、ようにしてもよい。この構成によれば、キャリッジの往復移動時、キャリッジの移動範囲に浮遊するインクミストを第一凹部及び第二凹部に捕集することができる。
【００１６】
前記収容ケースでは、前記主走査方向の第一側の第一外面は、前記副走査方向の第三側から第四側に向かうに従い、前記主走査方向の第一側から第二側に向かう状態で設けられ、前記主走査方向の第二側の第二外面は、前記副走査方向の第三側から第四側に向かうに従い、前記主走査方向の第二側から第一側に向かう状態で設けられる、ようにしてもよい。この構成によれば、キャリッジの往復移動時、収容ケースに対してインクミストを副走査方向の第四側に導くことができる。
【発明の効果】
【００１７】
本発明によれば、キャリッジの位置を検出する検出器がインクミストによって汚染されることを抑制できる、インクジェット記録装置を得ることができる。
【図面の簡単な説明】
【００１８】
【図１】インクジェット記録装置の概略構成の一例を示す斜視図である。
【図２】図１に示すＡ−Ａ線断面図である。検出器及びエア流路の一部を水平方向に切断した切断面を示す。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。図中、細線で示す破線は、かくれ線であり、ハッチングは、切断面を示す。また、実施形態の各図は、説明用の模式的な図である。従って、前述の各図は、図中の各部の形状及び寸法を正確に示した図ではない。
【００２０】
＜インクジェット記録装置＞
インクジェット記録装置１０について、図１，２を参照して説明する。インクジェット記録装置１０では、各種の記録媒体１５が搬送され、記録媒体１５に画像が記録される（図１参照）。記録媒体１５としては、布帛又は建築用資材が例示される。実施形態では、記録媒体１５は、長尺とされている。但し、記録媒体は、短尺であってもよい。画像の記録に用いるインクは、ブラック、マゼンタ、イエロー及びシアンの４色である。但し、これら各色のインクとは異なる色のインクを用いてもよい。インク色数は、３色以下又は５色以上としてもよい。
【００２１】
インクジェット記録装置１０は、搬送機２０と、インクジェットヘッド３０Ｋ，３０Ｍ，３０Ｙ，３０Ｃと、キャリッジ３２と、移動機４０と、検出器５０と、メインタンク７０Ｋ，７０Ｍ，７０Ｙ，７０Ｃと、インク流路７１Ｋ，７１Ｍ，７１Ｙ，７１Ｃと、制御装置８０を備える（図１参照）。インクジェット記録装置１０は、エア流路９２を介してエア供給装置９０に接続される。エア供給装置９０は、エアを供給する装置である。エア供給装置９０からのエアは、管状のエア流路９２を流れてインクジェット記録装置１０に供給される。エア供給装置９０としては、エアコンプレッサが例示される。図１では、エア流路９２の図示は、簡略化されている。エア流路９２は、後述する移動機４０によるキャリッジ３２の主走査方向への移動に対応可能な状態で設けられる。
【００２２】
搬送機２０は、記録媒体１５を搬送する。インクジェット記録装置１０では、搬送機２０による記録媒体１５の搬送は、間欠的に行われる。搬送機２０は、ベルトコンベアである。搬送機２０は、公知のインクジェット記録装置の搬送機と同様である。従って、搬送機２０に関するこの他の説明は、省略する。実施形態では、搬送機２０が記録媒体１５を搬送する方向を「搬送方向」という。搬送方向に直交する方向を「主走査方向」といい、搬送方向に沿った方向を「副走査方向」という。この場合、主走査方向は、副走査方向にも直交する。主走査方向の一方側を「第一側」といい、主走査方向の他方側を「第二側」という。副走査方向の一方側を「第三側」といい、副走査方向の他方側を「第四側」という。副走査方向の第三側を搬送方向の下流側とし、副走査方向の第四側を搬送方向の上流側とする。
【００２３】
インクジェットヘッド３０Ｋ，３０Ｍ，３０Ｙ，３０Ｃは、同様の構成を有する。インクジェットヘッド３０Ｋは、ブラックインクを吐出する。インクジェットヘッド３０Ｍは、マゼンタインクを吐出する。インクジェットヘッド３０Ｙは、イエローインクを吐出する。インクジェットヘッド３０Ｃは、シアンインクを吐出する。インクジェットヘッド３０Ｋ，３０Ｍ，３０Ｙ，３０Ｃによれば、記録媒体１５に、フルカラーの画像を記録することができる。図１で、インクジェットヘッド３０Ｋ，３０Ｍ，３０Ｙ，３０Ｃより搬送方向の下流側に図示された記録媒体１５の部分に付した模様は、記録媒体１５に記録された画像に対応する。
【００２４】
インクジェットヘッド３０Ｋ，３０Ｍ，３０Ｙ，３０Ｃには、複数のノズルが形成される。インクジェットヘッド３０Ｋ，３０Ｍ，３０Ｙ，３０Ｃでは、複数のノズルは、副走査方向に配列される。インクジェットヘッド３０Ｋ，３０Ｍ，３０Ｙ，３０Ｃでは、各色のインクは、複数のノズルから吐出される。図１では、インクジェットヘッド３０Ｋ，３０Ｍ，３０Ｙ，３０Ｃの図示は、簡略化されている。また、ノズルの図示は、省略されている。
【００２５】
キャリッジ３２には、インクジェットヘッド３０Ｋ，３０Ｍ，３０Ｙ，３０Ｃが搭載される。キャリッジ３２上で、インクジェットヘッド３０Ｋ，３０Ｍ，３０Ｙ，３０Ｃは、主走査方向に隣り合う。主走査方向におけるインクジェットヘッド３０Ｋ，３０Ｍ，３０Ｙ，３０Ｃの配列順序は、図１とは異なる順序としてもよい。これらの配列順序は、諸条件を考慮して適宜決定される。インクジェット記録装置１０では、インクジェットヘッド３０Ｋ，３０Ｍ，３０Ｙ，３０Ｃは、キャリッジ３２に搭載された状態で、移動機４０より副走査方向の第四側に設けられる。
【００２６】
移動機４０は、キャリッジ３２を主走査方向に往復移動させる。移動機４０は、２個のプーリ４１，４２と、タイミングベルト４３と、モータ４４を備える。プーリ４１は、搬送機２０を基準として、主走査方向の第一側に設けられる。プーリ４２は、搬送機２０を基準として、主走査方向の第二側に設けられる。プーリ４２は、回転自在に支持される。タイミングベルト４３は、張力が作用した状態で、プーリ４１，４２に架け渡される。モータ４４は、プーリ４１に連結される。移動機４０は、モータ４４として、例えば、サーボモータを採用する。モータ４４は、プーリ４１を回転させる。図１で、プーリ４１の内部に示す矢印は、プーリ４１の回転方向を示す。キャリッジ３２は、ステー３３を備える。キャリッジ３２は、ステー３３を介してタイミングベルト４３に取り付けられる。
【００２７】
メインタンク７０Ｋは、ブラックインクを貯留する。インク流路７１Ｋは、メインタンク７０Ｋとインクジェットヘッド３０Ｋを接続する。ブラックインクは、メインタンク７０Ｋから流出し、管状のインク流路７１Ｋを流れてインクジェットヘッド３０Ｋに供給される。メインタンク７０Ｍは、マゼンタインクを貯留する。インク流路７１Ｍは、メインタンク７０Ｍとインクジェットヘッド３０Ｍを接続する。マゼンタインクは、メインタンク７０Ｍから流出し、管状のインク流路７１Ｍを流れてインクジェットヘッド３０Ｍに供給される。メインタンク７０Ｙは、イエローインクを貯留する。インク流路７１Ｙは、メインタンク７０Ｙとインクジェットヘッド３０Ｙを接続する。イエローインクは、メインタンク７０Ｙから流出し、管状のインク流路７１Ｙを流れてインクジェットヘッド３０Ｙに供給される。メインタンク７０Ｃは、シアンインクを貯留する。インク流路７１Ｃは、メインタンク７０Ｃとインクジェットヘッド３０Ｃを接続する。シアンインクは、メインタンク７０Ｃから流出し、管状のインク流路７１Ｃを流れてインクジェットヘッド３０Ｃに供給される。図１では、インク流路７１Ｋ，７１Ｍ，７１Ｙ，７１Ｃは、簡略化されている。インク流路７１Ｋ，７１Ｍ，７１Ｙ，７１Ｃは、移動機４０によるキャリッジ３２の主走査方向への移動に対応可能な状態で設けられる。
【００２８】
検出器５０は、キャリッジ３２の主走査方向の位置を検出する。検出器５０は、リニアスケール５１と、検出ヘッド５２と、収容ケース５３を備える。１組のリニアスケール５１及び検出ヘッド５２は、例えば、リニアエンコーダと称される。インクジェット記録装置１０では、検出器５０は、リニアスケール５１及び検出ヘッド５２として、光学式のリニアエンコーダを採用する。但し、リニアスケール５１及び検出ヘッド５２は、光学式のリニアエンコーダとは異なる形式の位置センサであってもよい。例えば、リニアスケール５１及び検出ヘッド５２は、磁気式のリニアエンコーダであってもよい。
【００２９】
リニアスケール５１は、キャリッジ３２の移動範囲Ｒに主走査方向に沿って設けられる（図１参照）。リニアスケール５１は、例えば、インクジェット記録装置１０に設けられた不図示のフレームに取り付けられる。検出ヘッド５２は、次の状態でキャリッジ３２に設けられる。前述の状態は、検出ヘッド５２がリニアスケール５１と副走査方向に対向した状態である。換言すれば、前述の状態は、検出ヘッド５２の検出面Ｓ２がリニアスケール５１のスケール面Ｓ１と副走査方向に対向した状態である（図２参照）。インクジェット記録装置１０では、リニアスケール５１は、移動機４０より副走査方向の第三側に設けられる。この場合、リニアスケール５１は、スケール面Ｓ１が副走査方向の第四側を向いた状態となり、検出ヘッド５２は、検出面Ｓ２が副走査方向の第三側を向いた状態となる。検出ヘッド５２は、副走査方向にリニアスケール５１と離間寸法Ｇだけ離間して設けられる。離間寸法Ｇは、スケール面Ｓ１と検出面Ｓ２の間の副走査方向の寸法である。離間寸法Ｇは、１ｍｍ以下の所定値又は数ｍｍ〜数十ｍｍの範囲の所定値に設定される。離間寸法Ｇは、リニアスケール５１及び検出ヘッド５２として採用するリニアエンコーダの仕様に応じて適宜設定される。
【００３０】
検出ヘッド５２は、リニアスケール５１からキャリッジ３２の主走査方向の位置を検出する。検出ヘッド５２は、検出信号を出力する。検出信号は、キャリッジ３２の主走査方向の位置を示す。インクジェット記録装置１０では、リニアスケール５１及び検出ヘッド５２として、上述したような公知のリニアエンコーダを採用できる。従って、リニアスケール５１及び検出ヘッド５２に関するこの他の説明は、省略する。図１，２では、リニアスケール５１及び検出ヘッド５２の図示は、簡略化されている。
【００３１】
収容ケース５３は、収容室５４を備える（図２参照）。収容室５４は、検出ヘッド５２を収容する。インクジェット記録装置１０では、収容ケース５３は、キャリッジ３２上の次の位置に設けられる。前述の位置は、検出ヘッド５２がリニアスケール５１と副走査方向に対向することとなる位置である。収容ケース５３は、インクジェットヘッド３０Ｋ，３０Ｍ，３０Ｙ，３０Ｃより副走査方向の第三側に設けられる。インクジェット記録装置１０では、検出ヘッド５２が収容室５４に収容された状態で、検出ヘッド５２及び収容ケース５３は、キャリッジ３２と共に主走査方向に往復移動する。
【００３２】
インクジェット記録装置１０では、検出ヘッド５２は、収容ケース５３で収容室５４に収容される一方、リニアスケール５１は、収容ケース５３外で設置空間に露出する（図１参照）。設置空間は、インクジェット記録装置１０が設置された空間である。インクジェット記録装置１０が化粧材の生産現場で用いられる場合、設置空間は、例えば、工場建屋内の一室である。化粧材は、記録媒体１５の表面を柄によって装飾した部材である。収容室５４は、リニアスケール５１と対向する副走査方向の第三側が開口した空間である（図２参照）。即ち、収容室５４は、収容ケース５３の第三外面５７で開口する。第三外面５７は、収容ケース５３の外周面のうち、副走査方向の第三側の側面である。インクジェット記録装置１０では、第三外面５７は、主走査方向に沿った平面である。収容ケース５３は、副走査方向の第三側でリニアスケール５１と副走査方向に対向する。換言すれば、収容ケース５３は、第三外面５７でスケール面Ｓ１と副走査方向に対向する。
【００３３】
検出ヘッド５２は、次の状態で収容室５４の開口から露出する（図２参照）。前述の状態は、検出ヘッド５２の主走査方向の第一側に第一隙間Ｓ３がある状態である。更に、前述の状態は、検出ヘッド５２の主走査方向の第二側に第二隙間Ｓ４がある状態である。第一隙間Ｓ３は、検出ヘッド５２を収容室５４に収容させた場合、収容室５４の主走査方向の第一側の内壁と検出ヘッド５２の間に形成される隙間である。第二隙間Ｓ４は、検出ヘッド５２を収容室５４に収容させた場合、収容室５４の主走査方向の第二側の内壁と検出ヘッド５２の間に形成される隙間である。
【００３４】
収容ケース５３は、接続口６０と、吹出口６５を備える（図２参照）。接続口６０には、エア流路９２が接続される。吹出口６５は、リニアスケール５１に向けて開口する。インクジェット記録装置１０では、収容ケース５３は、接続口６０として、第一接続口６１及び第二接続口６２を備え、吹出口６５として、第一吹出口６６及び第二吹出口６７を備える。エア流路９２は、所定の位置で２本に分岐する。実施形態では、第一接続口６１及び第二接続口６２を区別しない場合、又はこれらを総称する場合、「接続口６０」という。また、第一吹出口６６及び第二吹出口６７を区別しない場合、又はこれらを総称する場合、「吹出口６５」という。更に、２本に分岐したエア流路９２の部分を「第一支流路９３」及び「第二支流路９４」といい、分岐前のエア流路９２の部分を「本流路９５」という。エア流路９２では、本流路９５は、分岐部９６で第一支流路９３及び第二支流路９４に分岐する。第一支流路９３は、第一接続口６１に接続される。第二支流路９４は、第二接続口６２に接続される。
【００３５】
第一支流路９３及び第一接続口６１の接続及び第二支流路９４及び第二接続口６２の接続には、公知の継手を用いることができる。インクジェット記録装置１０では、第一接続口６１には、第一継手６３が設けられ、第二接続口６２には、第二継手６４が設けられる。第一支流路９３は、第一継手６３に取り付けられる。第二支流路９４は、第二継手６４に取り付けられる。但し、第一継手６３を用いた第一支流路９３及び第一接続口６１の接続態様は、例示である。第二継手６４を用いた第二支流路９４及び第二接続口６２の接続態様は、例示である。前述の各接続態様は、これとは異なる態様としてもよい。例えば、第一支流路９３は、第一接続口６１に直接接続されてもよく、第二支流路９４は、第二接続口６２に直接接続されてもよい。
【００３６】
第一吹出口６６は、第一隙間Ｓ３に設けられる。第一吹出口６６は、第一接続口６１と通じる。第二吹出口６７は、第二隙間Ｓ４に設けられる。第二吹出口６７は、第二接続口６２と通じる。エア供給装置９０からのエアは、本流路９５を流れ、分岐部９６に到達し、分岐部９６で第一支流路９３及び第二支流路９４の各側に流れる。その後、エアは、第一支流路９３及び第二支流路９４の２系統から収容ケース５３に供給される。第一接続口６１から収容ケース５３に供給されたエアは、第一吹出口６６からリニアスケール５１に向けて第一隙間Ｓ３に吹き出す。第二接続口６２から収容ケース５３に供給されたエアは、第二吹出口６７からリニアスケール５１に向けて第二隙間Ｓ４に吹き出す。
【００３７】
収容ケース５３では、第一外面５５は、第一状態で設けられ、第二外面５６は、第二状態で設けられる（図２参照）。第一外面５５は、収容ケース５３の外周面のうち、主走査方向の第一側の側面である。インクジェット記録装置１０では、第一外面５５は、平面である。第一状態は、副走査方向の第三側から第四側に向かうに従い、主走査方向の第一側から第二側に向かう状態である。第二外面５６は、収容ケース５３の外周面のうち、主走査方向の第二側の側面である。インクジェット記録装置１０では、第二外面５６は、平面である。第二状態は、副走査方向の第三側から第四側に向かうに従い、主走査方向の第二側から第一側に向かう状態である。即ち、インクジェット記録装置１０では、収容ケース５３は、平面視で次のような台形の形状を有する（図２参照）。前述の台形は、副走査方向の第三側となる下底が幅広で、且つ副走査方向の第四側となる上底が幅狭となる形状である。インクジェット記録装置１０では、更に、前述の台形は、図２に一点鎖線で示す主走査方向の中心線Ｌを対称軸とする線対称の形状である。
【００３８】
実施形態では、収容ケース５３の外周面の一部を「第四外面５８」という。第四外面５８は、収容ケース５３の外周面のうち、副走査方向の第四側の側面である。インクジェット記録装置１０では、第四外面５８は、主走査方向に沿った平面である。収容ケース５３では、第三外面５７は、副走査方向の第三側で第一外面５５及び第二外面５６を繋ぎ、第四外面５８は、副走査方向の第四側で第一外面５５及び第二外面５６を繋ぐ。即ち、第三外面５７は、主走査方向の第一側端で第一外面５５と繋がり、主走査方向の第二側端で第二外面５６と繋がる。第四外面５８は、主走査方向の第一側端で第一外面５５と繋がり、主走査方向の第二側端で第二外面５６と繋がる。収容ケース５３では、接続口６０は、第四外面５８に設けられる。即ち、第一接続口６１は、第四外面５８の主走査方向の第一側に設けられる。第二接続口６２は、第四外面５８の主走査方向の第二側に設けられる。
【００３９】
収容ケース５３は、第一凹部６８と、第二凹部６９を備える（図２参照）。第一凹部６８は、収容室５４の主走査方向の第一側に設けられる。第二凹部６９は、収容室５４の主走査方向の第二側に設けられる。即ち、収容ケース５３では、第一凹部６８、収容室５４及び第二凹部６９は、主走査方向の第一側から第二側に並んで設けられる。第一凹部６８及び第二凹部６９は、収容室５４と同様、副走査方向の第三側が開口した空間である。即ち、第一凹部６８及び第二凹部６９は、第三外面５７で収容室５４と共に開口する。インクジェット記録装置１０では、第一凹部６８及び第二凹部６９は、段付きの形状を有する。
【００４０】
制御装置８０は、接続インターフェース８１と、制御器８２を備える。実施形態では、接続インターフェース８１を「接続Ｉ／Ｆ８１」と記載する。接続Ｉ／Ｆ８１には、例えば、検出ヘッド５２が接続される。検出ヘッド５２から出力された検出信号は、接続Ｉ／Ｆ８１を介して制御装置８０に入力される。制御装置８０では、接続Ｉ／Ｆ８１は、検出ヘッド５２からの検出信号を制御器８２に出力する。図１，２では、検出ヘッド５２及び接続Ｉ／Ｆ８１を接続する電気配線の図示は、省略されている。
【００４１】
制御器８２は、例えば、プロセッサと、ストレージと、メモリを備える。プロセッサは、演算処理を実行する。ストレージは、例えば、不揮発性のメモリ及びハードディスクの何れか一方又は両方である。ストレージには、インクジェット記録装置１０で実行される各種の動作用のプログラムが記憶される。メモリは、プロセッサがストレージに記憶されたプログラムを実行する際の作業領域となる。制御器８２は、インクジェット記録装置１０で実行される各種の動作を制御する。制御器８２は、例えば、記録媒体１５への画像の記録を制御する。即ち、制御器８２は、検出ヘッド５２からの検出信号に従い、インクジェットヘッド３０Ｋ，３０Ｍ，３０Ｙ，３０Ｃの各ノズルからのインクの吐出を制御する。
【００４２】
インクジェット記録装置１０で記録媒体１５に画像が記録される場合、移動機４０と搬送機２０は、次のように動作する。移動機４０では、モータ４４が時計回りと反時計回りに往復して回転する。モータ４４の回転に伴い、プーリ４１が左右両側に往復して回転する。モータ４４が所定の方向に回転することでプーリ４１が左回転すると、タイミングベルト４３も左回転する。プーリ４２は、左回転するタイミングベルト４３に従動して回転する。これに伴い、キャリッジ３２は、主走査方向の第二側から第一側に移動する。移動範囲Ｒでキャリッジ３２が主走査方向の第一側の移動端に到達すると、モータ４４の回転方向は反転し、プーリ４１は、右回転する。プーリ４１が右回転すると、タイミングベルト４３も右回転する。プーリ４２は、右回転するタイミングベルト４３に従動して回転する。これに伴い、キャリッジ３２は、主走査方向の第一側から第二側に移動する。移動範囲Ｒでキャリッジ３２が主走査方向の第二側の移動端に到達すると、モータ４４の回転方向は再度反転し、プーリ４１は、再度左回転する。
【００４３】
搬送機２０は、キャリッジ３２の主走査方向の第二側から第一側への移動と、キャリッジ３２の主走査方向の第一側から第二側への移動に対応させて、記録媒体１５を搬送方向に搬送する。即ち、搬送機２０による記録媒体１５の搬送は、前述したキャリッジ３２の主走査方向の各移動端への到達に応じて間欠的に行われる。各色のインクは、キャリッジ３２が主走査方向に移動している所定のタイミングでインクジェットヘッド３０Ｋ，３０Ｍ，３０Ｙ，３０Ｃの各ノズルから記録媒体１５に向けて吐出される。インクジェットヘッド３０Ｋ，３０Ｍ，３０Ｙ，３０Ｃの各ノズルから吐出された各色のインクは、記録媒体１５の表面に着弾する。これに伴い、記録媒体１５の表面には、画像が記録される。
【００４４】
移動機４０は、画像の記録が終了するまで動作する。従って、キャリッジ３２の主走査方向への往復移動は、画像の記録が終了するまで繰り返される。検出ヘッド５２は、画像の記録が終了するまで検出信号を出力し続ける。搬送機２０は、画像の記録が終了した後、所定のタイミングで停止する。搬送機２０の停止に伴い、記録媒体１５の搬送も、終了する。
【００４５】
インクジェット記録装置１０では、吹出口６５からリニアスケール５１に向けたエアの吹き出しは、例えば、次のように実施される。即ち、エアの吹き出しは、インクジェット記録装置１０の起動中、常時実施するようにしてもよい。また、エアの吹き出しは、キャリッジ３２が主走査方向に往復移動している間実施し、キャリッジ３２の主走査方向への往復移動の終了に伴い停止するようにしてもよく、又は前述の往復移動の終了後、所定のタイミングで停止するようにしてもよい。エアの吹き出しの実施時期は、諸条件を考慮して適宜決定される。エア流路９２では、本流路９５に電磁弁を設けるようにしてもよい。この場合、この電磁弁の開閉により、エアの吹き出しの実施又は停止を切り替えることができる。この他、エアの吹き出しは、エア供給装置９０の停止に伴い停止させることができる。この場合、エア供給装置９０の起動に伴いエアの吹き出しを再開させることができる。
【００４６】
＜実施形態の効果＞
実施形態によれば、次のような効果を得ることができる。
【００４７】
（１）インクジェット記録装置１０は、搬送機２０と、インクジェットヘッド３０Ｋ，３０Ｍ，３０Ｙ，３０Ｃと、キャリッジ３２と、移動機４０と、検出器５０を備える（図１参照）。インクジェットヘッド３０Ｋ，３０Ｍ，３０Ｙ，３０Ｃは、キャリッジ３２に搭載される。移動機４０は、キャリッジ３２を主走査方向に往復移動させる。検出器５０は、キャリッジ３２の主走査方向の位置を検出する。検出器５０は、リニアスケール５１と、検出ヘッド５２と、収容ケース５３を備える（図１，２参照）。リニアスケール５１は、移動範囲Ｒに主走査方向に沿って設けられる（図１参照）。検出ヘッド５２は、リニアスケール５１と副走査方向に対向し、リニアスケール５１からキャリッジ３２の主走査方向の位置を検出する。収容ケース５３は、検出ヘッド５２を収容する収容室５４を備える。検出ヘッド５２及び収容ケース５３は、キャリッジ３２と共に主走査方向に往復移動する。収容ケース５３は、接続口６０と、吹出口６５を備える（図２参照）。接続口６０には、エア流路９２が接続される。エア流路９２は、エア供給装置９０に接続される。エア流路９２には、エア供給装置９０からのエアが流れる。吹出口６５は、接続口６０から流入するエアをリニアスケール５１に向けて吹き出す。
【００４８】
そのため、エア供給装置９０からエアの供給を受けることができる。エア供給装置９０は、インクジェット記録装置１０から離れた位置に設置することができる。例えば、エア供給装置９０は、設置空間とは異なる空間に設置することができる。エア供給装置９０から供給されたインクミストを含まないエアをリニアスケール５１に向けて吹き出すことができる。リニアスケール５１及び検出ヘッド５２へのインクミストの付着を抑制することができる。検出器５０がインクミストによって汚染されることを抑制することができる。
【００４９】
（２）収容ケース５３は、吹出口６５として、第一吹出口６６及び第二吹出口６７を備える（図２参照）。第一吹出口６６は、検出ヘッド５２の主走査方向の第一側に設けられる。第二吹出口６７は、検出ヘッド５２の主走査方向の第二側に設けられる。収容室５４は、副走査方向の第三側が開口した空間である。検出ヘッド５２は、検出ヘッド５２の主走査方向の第一側及び第二側に第一隙間Ｓ３及び第二隙間Ｓ４がある状態で、収容室５４の開口から露出する。第一吹出口６６は、第一隙間Ｓ３に設けられ、第二吹出口６７は、第二隙間Ｓ４に設けられる。そのため、リニアスケール５１に対してエアを吹き付ける範囲を広くすることができる。検出ヘッド５２へのインクミストの到達を主走査方向の第一側及び第二側で防止することができる。
【００５０】
（３）収容ケース５３は、第一凹部６８と、第二凹部６９を備える（図２参照）。第一凹部６８は、収容室５４の主走査方向の第一側に設けられる。第二凹部６９は、収容室５４の主走査方向の第二側に設けられる。そのため、キャリッジ３２の往復移動時、移動範囲Ｒに浮遊するインクミストを第一凹部６８及び第二凹部６９に捕集することができる。
【００５１】
（４）収容ケース５３では、第一外面５５は、副走査方向の第三側から第四側に向かうに従い、主走査方向の第一側から第二側に向かう状態で設けられ、第二外面５６は、副走査方向の第三側から第四側に向かうに従い、主走査方向の第二側から第一側に向かう状態で設けられる（図２参照）。そのため、キャリッジ３２の往復移動時、収容ケース５３に対してインクミストを副走査方向の第四側に導くことができる。
【００５２】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００５３】
（１）インクジェット記録装置１０では、収容ケース５３は、接続口６０として、第一接続口６１と、第二接続口６２を備える（図２参照）。この場合、エア流路９２では、本流路９５は、分岐部９６で第一支流路９３及び第二支流路９４に分岐する。第一接続口６１には、第一支流路９３が接続され、第二接続口６２には、第二支流路９４が接続される。収容ケースでは、接続口は、１個としてもよい。この場合、収容ケースは、次の内部流路を含む。前述の内部流路は、収容ケースの内部で第一吹出口６６及び第二吹出口６７の各側に分岐した流路である。内部流路は、１個の接続口と２個の第一吹出口６６及び第二吹出口６７を接続する。エア流路は、分岐部９６を含まない１本の流路となる。
【００５４】
（２）インクジェット記録装置１０では、収容ケース５３は、吹出口６５として、第一吹出口６６と、第二吹出口６７を備える（図２参照）。収容ケースでは、吹出口は、１個としてもよい。この場合、エア流路は、分岐部９６を含まない１本の流路とされる。収容ケースでは、吹出口を設ける位置は、諸条件を考慮して適宜決定される。また、収容ケースでは、吹出口は、３個以上としてもよい。吹出口を３個以上とした場合、収容ケースには、吹出口と同数の接続口を設けるようにしてもよく、又は吹出口より少ない数の接続口を設けるようにしてもよい。接続口を吹出口より少ない数とする場合、内部流路は、収容ケースの内部で複数の吹出口の側に分岐する。
【００５５】
収容ケース５３では、吹出口６５は、収容室５４に設けられる（図２参照）。即ち、収容ケース５３では、第一吹出口６６が第一隙間Ｓ３に設けられ、第二吹出口６７が第二隙間Ｓ４に設けられる。吹出口は、収容室とは異なる収容ケースの所定の位置に設けるようにしてもよい。例えば、吹出口は、収容室、第一凹部６８及び第二凹部６９と共に、収容ケースの第三外面に設けるようにしてもよい。吹出口として、第一吹出口及び第二吹出口が設けられるとする。この場合、第一吹出口は、第三外面で、主走査方向で収容室と第一凹部６８の間、又は第一凹部６８の主走査方向の第一側に設けるようにしてもよい。第二吹出口は、第三外面で、主走査方向で収容室と第二凹部６９の間、又は第二凹部６９の主走査方向の第二側に設けるようにしてもよい。
【００５６】
（３）インクジェット記録装置１０では、第一外面５５及び第二外面５６が平面である収容ケース５３を例示した（図２参照）。第一外面は、副走査方向の第三側から第四側に向かうに従い、主走査方向の第一側から第二側に向かう第一状態で設けられていればよい。第二外面は、副走査方向の第三側から第四側に向かうに従い、主走査方向の第二側から第一側に向かう第二状態で設けられていればよい。例えば、第一外面は、第一状態となる曲面であってもよく、第二外面は、第二状態となる曲面であってもよい。第一外面及び第二外面を形成する曲面は、凹曲面及び凸曲面の何れであってもよい。
【００５７】
（４）上記では、主走査方向の第一側及び第二側を次のようにした。即ち、図１の紙面を正面視した場合の左上側を主走査方向の第一側とした。前述の紙面を正面視した場合の右下側を主走査方向の第二側とした。主走査方向の第一側及び第二側は、上記とは反対であってもよい。即ち、上記で主走査方向の第一側とした主走査方向の側は、主走査方向の第二側であってもよい。上記で主走査方向の第二側とした主走査方向の側は、主走査方向の第一側であってもよい。また、上記では、副走査方向の第三側を搬送方向の下流側とし、副走査方向の第四側を搬送方向の上流側とした。副走査方向の第三側及び第四側は、上記とは反対であってもよい。即ち、副走査方向の第三側は、搬送方向の上流側であってもよい。副走査方向の第四側は、搬送方向の下流側であってもよい。
【符号の説明】
【００５８】
１０  インクジェット記録装置、  １５  記録媒体、  ２０  搬送機
３０Ｋ，３０Ｍ，３０Ｙ，３０Ｃ  インクジェットヘッド、  ３２  キャリッジ
３３  ステー、  ４０  移動機、  ４１，４２  プーリ、  ４３  タイミングベルト
４４  モータ、  ５０  検出器、  ５１  リニアスケール、  ５２  検出ヘッド
５３  収容ケース、  ５４  収容室、  ５５  第一外面、  ５６  第二外面
５７  第三外面、  ５８  第四外面、  ６０  接続口、  ６１  第一接続口
６２  第二接続口、  ６３  第一継手、  ６４  第二継手、  ６５  吹出口
６６  第一吹出口、  ６７  第二吹出口、  ６８  第一凹部、  ６９  第二凹部
７０Ｋ，７０Ｍ，７０Ｙ，７０Ｃ  メインタンク
７１Ｋ，７１Ｍ，７１Ｙ，７１Ｃ  インク流路
８０  制御装置、  ８１  接続インターフェース（接続Ｉ／Ｆ）、  ８２  制御器
９０  エア供給装置、  ９２  エア流路、  ９３  第一支流路、  ９４  第二支流路
９５  本流路、  ９６  分岐部、  Ｇ  離間寸法、  Ｌ  中心線、  Ｒ  移動範囲
Ｓ１  スケール面、  Ｓ２  検出面、  Ｓ３  第一隙間、  Ｓ４  第二隙間
【図１】
2020082695.tif 000003
【図２】
2020082695.tif 000004